(57)【要約】【課題】  接点溶着時には操作ハンドルのＯＦＦ操作を阻止でき、溶着した接点に対して大きな解離力を発揮できる機構を備えた回路遮断器を提供する。【解決手段】  トリップアーム１７に一端が軸着された上リンク１６と、当該上リンクに枢支連結して可動接触子１１に軸着された下リンク１５とを具備して、操作ハンドル３及びトリップアーム１７に連携して可動接点１１ａを開閉動作させるトグルリンク１４と、上リンク１６と下リンク１５との枢支連結部とハンドル支持金具４との間に張架したコイルばね１９とを備え、接点部１０が溶着した状態で操作ハンドル３が開操作されたら、開操作の途中でハンドル支持金具４が衝合する溶着衝合部２３ａを、上リンク１６のトリップアーム１７への軸着部１７ａと下リンク１５との枢支連結したリンクピン１８との間に設けた。【選択図】  図３
2016033892.tif 000002
【特許請求の範囲】
【請求項１】
電源側端子から負荷側端子に亘り配設された主電路上に設けた固定接点と可動接点とから成る接点部と、前記接点部を開閉操作する操作ハンドルと、前記主電路に過電流が流れたら変移するラッチ片と、前記操作ハンドルの操作と前記ラッチ片の変移とを前記接点部に伝達する開閉機構部とを有する回路遮断器であって、
前記開閉機構部が、前記操作ハンドルの回動支点を備えて前記操作ハンドルの回動操作を可能とするハンドル支持金具と、
前記ラッチ片に係止して前記接点部の閉状態を維持させるトリップアームと、
前記トリップアームに一端が軸着された上リンク、及び当該上リンクの他端に枢支連結して前記可動接点を備えた可動接触子に軸着された下リンクで構成され、前記操作ハンドル及び前記トリップアームに連携して前記可動接点を開閉動作させるトグルリンクと、
前記上リンクと前記下リンクとの枢支連結部と前記ハンドル支持金具との間に張架した開閉スプリングとを備え、
前記接点部が溶着した状態で前記操作ハンドルが開操作されたら、開操作の途中で前記ハンドル支持金具が衝合する溶着衝合部を前記上リンクに設け、
当該溶着衝合部が、前記トリップアームへの軸着部と前記下リンクとの枢支連結部との間に形成されて成ることを特徴とする回路遮断器。
【請求項２】
電源側端子から負荷側端子に亘り配設された主電路上に設けた固定接点と可動接点とから成る接点部と、前記接点部を開閉操作する操作ハンドルと、前記主電路に過電流が流れたら変移するラッチ片と、前記操作ハンドルの操作と前記ラッチ片の変移とを前記接点部に伝達する開閉機構部とを有する回路遮断器であって、
前記開閉機構部が、前記操作ハンドルの回動支点を備えて前記操作ハンドルの回動操作を可能とするハンドル支持金具と、
前記ラッチ片に係止して前記接点部の閉状態を維持させるトリップアームと、
前記トリップアームに一端が軸着された上リンク、及び当該上リンクの他端に枢支連結して前記可動接点を備えた可動接触子に軸着された下リンクで構成され、前記操作ハンドル及び前記トリップアームに連携して前記可動接点を開閉動作させるトグルリンクと、
前記上リンクと前記下リンクとの枢支連結部と前記ハンドル支持金具との間に張架した開閉スプリングとを備え、
前記接点部が溶着した状態で前記トリップアームと前記ラッチ片との係止が解かれてトリップ動作し、その後前記操作ハンドルが開操作されたら、開操作の途中で前記ハンドル支持金具が衝合する溶着トリップ衝合部を前記上リンクに設け、
前記溶着トリップ衝合部が、前記トリップアームへの軸着部と前記下リンクとの枢支連結部との間に形成されて成ることを特徴とする回路遮断器。
【発明の詳細な説明】
【技術分野】
【０００１】
本発明は回路遮断器に関し、特に接点が溶着した状態では操作ハンドルのオフ操作を不可とするアイソレーション機能を備えた回路遮断器に関する。
【背景技術】
【０００２】
回路遮断器は、主電路を開閉する接点が閉極した状態で異常電流が流れた場合に、接点間が溶着してしまう事がある。この溶着が発生した場合、過電流引き外し装置が異常電流を検知して正常に作動して操作ハンドルがトリップ位置に移動するが、その後安全のため操作ハンドルをＯＦＦ位置に移動できないように、即ちＯＦＦ操作ができないようにアイソレーション機構を備えた回路遮断器がある。
例えば特許文献１では、操作ハンドルの下部に設けられたハンドル支持金具（ハンドルレバー）にストッパ片を設け、トグルリンクを構成する上リンクに衝合させて操作ハンドルのそれ以上の回動を不可とした。
【先行技術文献】
【特許文献】
【０００３】
【特許文献１】特開２００７−２８７４３１号公報
【発明の概要】
【発明が解決しようとする課題】
【０００４】
上記特許文献１では、ハンドル支持金具を上リンクに衝合させるアイソレーション機構により接点溶着時には操作ハンドルのＯＦＦ位置への移動を阻止する機能に加えて、トグルリンクを機能させる開閉スプリングの弾性力を利用して、可動接点を接触／解離動作させる可動接触子に対して解離力を発生させる機構を設けて、溶着が軽度の場合は接点を引き剥がしてトリップ動作させる機能を設けた。
しかしながら、この場合の解離力はスプリングの弾性力であるため軽い溶着の場合は解離させることが可能であったが、比較的強い溶着の場合は解離させるだけの十分な力を発揮させるのが難しかった。
【０００５】
そこで、本発明はこのような問題点に鑑み、接点溶着時には操作ハンドルのＯＦＦ操作を阻止するアイソレーション機能に加えて、溶着した接点に対して大きな解離力を発揮できる機構を備えた回路遮断器を提供することを目的としている。
【課題を解決するための手段】
【０００６】
上記課題を解決する為に、請求項１の発明は、電源側端子から負荷側端子に亘り配設された主電路上に設けた固定接点と可動接点とから成る接点部と、接点部を開閉操作する操作ハンドルと、主電路に過電流が流れたら変移するラッチ片と、操作ハンドルの操作とラッチ片の変移とを接点部に伝達する開閉機構部とを有する回路遮断器であって、開閉機構部が、操作ハンドルの回動支点を備えて操作ハンドルの回動操作を可能とするハンドル支持金具と、ラッチ片に係止して接点部の閉状態を維持させるトリップアームと、トリップアームに一端が軸着された上リンク、及び当該上リンクの他端に枢支連結して可動接点を備えた可動接触子に軸着された下リンクで構成され、操作ハンドル及びトリップアームに連携して可動接点を開閉動作させるトグルリンクと、上リンクと下リンクとの枢支連結部とハンドル支持金具との間に張架した開閉スプリングとを備え、接点部が溶着した状態で操作ハンドルが開操作されたら、開操作の途中でハンドル支持金具が衝合する溶着衝合部を上リンクに設け、当該溶着衝合部が、トリップアームへの軸着部と下リンクとの枢支連結部との間に形成されて成ることを特徴とする。
この構成によれば、接点部が溶着した状態で操作ハンドルを開操作すると、開操作の途中で、ハンドル支持金具と上リンクとが衝合するため、操作ハンドルを最後まで開操作できない。即ち、開操作が阻止される。
そして、この時の衝合は上リンクに対してはトリップアームとの軸着部と下リンクとの枢支連結部との間で成されるため、衝合による押圧力を上リンクの遮断動作方向への回転力として作用させることができ、衝合後も操作ハンドルの開操作を継続すれば、可動接触子に対して解離力を作用させることができる。よって、操作ハンドルへ加えられる力に比例する可動接触子の解離力を生成でき、溶着した接点部を解離させることが可能となる。しかも、解離させるための新たな部材が必要ない。
【０００７】
請求項２の発明は、電源側端子から負荷側端子に亘り配設された主電路上に設けた固定接点と可動接点とから成る接点部と、接点部を開閉操作する操作ハンドルと、主電路に過電流が流れたら変移するラッチ片と、操作ハンドルの操作とラッチ片の変移とを接点部に伝達する開閉機構部とを有する回路遮断器であって、開閉機構部が、操作ハンドルの回動支点を備えて操作ハンドルの回動操作を可能とするハンドル支持金具と、ラッチ片に係止して接点部の閉状態を維持させるトリップアームと、トリップアームに一端が軸着された上リンク、及び当該上リンクの他端に枢支連結して可動接点を備えた可動接触子に軸着された下リンクで構成され、操作ハンドル及びトリップアームに連携して可動接点を開閉動作させるトグルリンクと、上リンクと下リンクとの枢支連結部とハンドル支持金具との間に張架した開閉スプリングとを備え、接点部が溶着した状態でトリップアームとラッチ片との係止が解かれてトリップ動作し、その後操作ハンドルが開操作されたら、開操作の途中でハンドル支持金具が衝合する溶着トリップ衝合部を上リンクに設け、溶着トリップ衝合部が、トリップアームへの軸着部と下リンクとの枢支連結部との間に形成されて成ることを特徴とする。
この構成によれば、トリップ動作した際に接点部が溶着していたら、操作ハンドルを開操作しても、開操作の途中でハンドル支持金具と上リンクとが衝合するため、操作ハンドルを最後まで開操作できない。即ち、開操作が阻止される。
そして、この時の衝合は上リンクに対してはトリップアームとの軸着部と下リンクとの枢支連結部との間で成されるため、衝合による押圧力を上リンクの遮断動作方向への回転力として作用させることができ、衝合後も操作ハンドルの開操作を継続すれば、可動接触子に対して解離力を作用させることができる。よって、操作ハンドルへ加えられる力に比例する可動接触子の解離力を生成でき、溶着した接点部を解離させることが可能となる。しかも、解離させるための新たな部材が必要ない。
【発明の効果】
【０００８】
本発明によれば、接点部が溶着した状態で操作ハンドルを開操作すると、開操作の途中で、ハンドル支持金具と上リンクとが衝合するため、操作ハンドルを最後まで開操作できない。即ち、開操作が阻止される。
そして、この時の衝合は上リンクに対してはトリップアームとの軸着部と下リンクとの枢支連結部との間で成されるため、衝合による押圧力を上リンクの遮断動作方向への回転力として作用させることができ、衝合後も操作ハンドルの開操作を継続すれば、可動接触子に対して解離力を作用させることができる。よって、操作ハンドルへ加えられる力に比例する可動接触子の解離力を生成でき、溶着した接点部を解離させることが可能となる。しかも、解離させるための新たな部材が必要ない。
【図面の簡単な説明】
【０００９】
【図１】本発明に係る回路遮断器の一例を示す本体の斜視図である。
【図２】本体から開閉機構部を取り出した斜視図である。
【図３】図２に示す開閉機構部の側面説明図である。
【図４】ハンドル支持金具の斜視図である。
【図５】トリップアームとトグルリンクとを抜き出した斜視図である。
【図６】トグルリンクのうち上リンクのみの側面図である。
【図７】接点部が開極した状態の開閉機構部の側面説明図である。
【図８】接点が溶着した状態でＯＦＦ操作した場合の開閉機構部の側面説明図である。
【図９】図８のＯＦＦ操作時の力の作用状態を示す説明図である。
【図１０】接点が溶着した状態でラッチが解除した開閉機構部の側面説明図である。
【図１１】接点が溶着した状態でラッチが解除され、更にＯＦＦ操作した場合の開閉機構部の側面説明図である。
【発明を実施するための形態】
【００１０】
本発明を具体化した実施の形態を、図面を参照して詳細に説明する。図１は本発明に係る回路遮断器の一例を示し上部を閉塞するカバーを外した本体の斜視図である。１は電源側端子、２は負荷側端子、３は操作ハンドル、４は操作ハンドル３を支持するハンドル支持金具、５は回路遮断器ケースの一部を成す基台であり、３極から成る回路遮断器を示している。以下、電源側端子１の配置方向を前方、負荷側端子２の配置方向を後方として説明する。
【００１１】
図２は本体から開閉機構部を抜き出した斜視図、図３はこの開閉機構部の側面説明図を示している。図２，図３において、１１は可動接点１１ａを備えた可動接触子、１２は固定接点１２ａを備えた固定接触子であり、可動接点１１ａと固定接点１２ａとで電源側端子１から負荷側端子２に亘り配設された主電路を開閉する接点部１０を構成している。
可動接点１１ａは可動接触子１１の先端に配置され、可動接触子１１の後部は基台５に軸支され、負荷側端子２に電気的に接続されている。一方、固定接触子１２は電源側端子１に連結され、可動接触子１１及び固定接触子１２は共に主電路の一部を構成している。
【００１２】
そして、可動接触子１１はセパレータ１３に保持されており、セパレータ１３は下リンク１５及び上リンク１６から成るトグルリンク１４を介して後述するトリップアーム１７に連結されている。この可動接触子１１が、セパレータ１３の作用により軸着部１１ｂを中心に回動することで、可動接点１１ａが固定接点１２ａに対して接触／解離し、主電路が開閉される。
【００１３】
下リンク１５と上リンク１６とはリンクピン１８により枢支連結され、前後方向に揺動自在に連結されている。このリンクピン１８とハンドル支持金具４の上端との間は伸張したコイルばね（開閉スプリング）１９により連結され、常時収縮力が作用している。
また、２０は基台５に固定されたフレームであり、上部に操作ハンドル３の回動支点となる支持凹部２０ａが形成されている。更に、２１はトリップアーム１７を係止してラッチ状態を形成するラッチ片であり、過電流を検知するバイメタル片２２の熱変形を受けて変移し、ラッチ解除動作する。
【００１４】
図４はハンドル支持金具４の斜視図であり、この図４に示すようにハンドル支持金具４は上面４ｒ及び左右側面４ｓを有して略コ字状に折り曲げ形成されている。上面４ｒには操作ハンドル３を係止して固定する固定部４ａ、及びコイルばね１９を掛け止める掛止部４ｂが形成されている。また、左右側面４ｓの下端には操作ハンドル３の回動支点となる円盤状の回動軸４ｄが形成されている。この回動軸４ｄは、上述したフレーム２０の支持凹部２０ａに嵌合して回動可能に支持される。
そして、左右側面４ｓの対向する内側には、アイソレーション機構の一方を構成する衝合突起４ｅが形成されている。尚、４ｆは衝合突起４ｅ作製時に裏面に形成された凹部である。
【００１５】
図５はトリップアーム１７とトグルリンク１４を抜き出した斜視図を示している。図５に示すように、トリップアーム１７は左右一対の側板１７ｓと、この側板１７ｓの背部において左右側板１７ｓの間に掛け渡された連結板１７ｔとを有し、トグルリンク１４はこのトリップアーム１７の左右外側に配置されている。
側板１７ｓの上部には、上リンク１６の上端を軸着する軸着部１７ａが設けられ、下部前方にはフレーム２０に連結するための連結軸１７ｂが設けられている。連結軸１７ｂはトリップアーム１７の回動中心であり、フレーム２０を介して基台５に対して回動可能に固定されている。
また、連結板１７ｔにはラッチ片２０に係止する係止部１７ｃが設けられ、ラッチ片２１との係止状態が解かれると、即ちラッチが解除されるとコイルばね１９の付勢力によりトリップアーム１７は回動し、開閉機構部が遮断動作する。
【００１６】
トリップアーム１７及びトグルリンク１４はハンドル支持金具４の内側に配置され、上リンク１６は、ハンドル支持金具４の内側に隙間のない状態で配置される。こうして、操作ハンドル３がＯＮ／ＯＦＦ操作（開閉操作）されると、ハンドル支持金具４は回動し、上リンク１６に対して摺動するように移動する。
一方、下リンク１５の下端は軸着部１５ａを有し、セパレータ１３に軸着されている。こうして、トグルリンク１４はトリップアーム１７とセパレータ１３との間に掛け渡されている。
【００１７】
そして、上リンク１６には、アイソレーション機構の他方を構成する衝合段部２３が形成されている。図６は上リンク１６単体の側面図であり、図６を参照して具体的に説明する。上リンク１６は、遮断器前側となる図示左側に切り欠き部を有する一方、図示右側に膨らみを設けて形成され、全体が略コ字状に形成されている。
衝合段部２３は軸着部１７ａとリンクピン１８の間の切り欠き部に形成され、第１段部２３ａと第２段部２３ｂの２段を有して形成されている。この衝合段部２３が、衝合突起４ｅと衝合して操作ハンドル３の回動を阻止させる。
【００１８】
上記の如く構成された回路遮断器の動作は以下の様である。最初に接点部１０に溶着が発生していない正常状態のＯＮ／ＯＦＦ操作、及びトリップ動作を説明する。ラッチ片２１がトリップアーム１７を係止したラッチ状態において、操作ハンドル３を前方へ回動してＯＮ操作（閉操作）すると、図３に示すようにトグルリンク１４の下リンク１５と上リンク１６が略直線状に延びて、セパレータ１３の前方を下方へ付勢する。即ち、セパレータ１３は図３の状態で反時計方向に回動付勢される。こうして、可動接点１１ａが固定接点１２ａに当接して閉極し、主電路が通電される。
【００１９】
この閉極したＯＮ状態から操作ハンドル３を後方へ回動してＯＦＦ操作（開操作）すると、コイルばね１９の角度がやがてトグルリンク１４に作用する力が反転する一定の角度（デッドポイント）を超える。その結果、伸張させる力から屈曲させる力へ作用が反転する。
この結果、下リンク１５と上リンク１６とが逆「く」字状に座屈し、セパレータ１３は時計方向に回動する。こうして、可動接触子１１が固定接触子１２から離れて接点部１０が開極する。図７はこの開極した状態の開閉機構部を示している。
【００２０】
また、ＯＮ状態において主電路に過電流が流れると、バイメタル片２２がそれを検知してラッチ片２１が変移してラッチ解除動作（トリップ動作）する。その結果、トリップアーム１７が開放されてコイルばね１９が収縮し、その作用によりトリップアーム１７が連結軸１７ｂを支点に反時計方向に回動する。この動きに伴って、トリップアーム１７に連結されているトグルリンク１４が逆「く」の字形に座屈し、これに連動して可動接触子１１が時計方向に回動して接点部１０を開極する。こうして遮断動作する。
【００２１】
次に、接点部１０が溶着した状態でのＯＦＦ操作を説明する。図８は接点部１０が溶着した状態でＯＦＦ操作した場合の開閉機構部の側面説明図であり、この図８を参照して説明する。
接点部１０が溶着した状態でＯＦＦ操作されると、即ち操作ハンドル３が後方へ（矢印Ｐ１の方向へ）回動操作されると、コイルばね１９の作用線がデッドポイントを超えて反転しても、可動接触子１１が時計方向へ回動しないためトグルリンク１４が直線状態から大きく変化しない。そのため、上リンク１６に形成されている衝合段部２３も位置を大きく変えない。
この状態で、操作ハンドル３のＯＦＦ操作が更に成されると、ハンドル支持金具４が時計方向に回動し、衝合突起４ｅが衝合段部２３に接近して行く。
【００２２】
こうして、図８に示す角度まで操作ハンドル３が回動すると、衝合突起４ｅが衝合段部２３のうちの第１段部２３ａに衝突（当接）する。この結果、上リンク１６は下部が接点の溶着により動きが規制されているし、上部はトリップアーム１７により動きが規制されているため、衝合状態が維持されてハンドル支持金具４はそれ以上回動出来ない状態となる。即ちアイソレーション機構が作用する。
【００２３】
そして、この衝合状態で操作ハンドル３を更にＯＦＦ操作して後方に回動させようとすると、接点部１０を解離させる作用が生ずる。図９は図８の状態での衝合突起４ｅに生ずる力の作用状態を示しており、この図を参照して説明する。
図９に示すように、第１段部２３ａに対して衝合突起４ｅの後方（図示右方向）へ向く回転力Ｆ１が作用するが、同時に上方へ向く持ち上げ力Ｆ２も作用する。そのため、上リンク１６に対しては接点部１０を解離させようとする回転力が発生し、同時にトリップアーム１７に対しても接点部１０を解離させようとする回転力が発生する。
この結果、操作ハンドル３のＯＦＦ操作により、接点部１０に対して大きな解離力が発生し、可動接点１１ａと固定接点１２ａとを解離させることが可能となる。
【００２４】
このように、接点部１０が溶着した状態で操作ハンドル３を開操作すると、開操作の途中で、ハンドル支持金具４と上リンク１６とが衝合するため、操作ハンドル３を最後まで開操作できない。即ち、開操作が阻止される。
そして、この時の衝合は上リンク１６に対してはトリップアーム１７との軸着部１７ａと下リンク１５との枢支連結したリンクピン１８との間で成されるため、衝合による押圧力を上リンク１６の遮断動作方向への回転力として作用させることができ、衝合後も操作ハンドル３の開操作を継続すれば、可動接触子１１に対して解離力を作用させることができる。よって、操作ハンドル３へ加えられる力に比例する可動接触子１１の解離力を生成でき、溶着した接点部１０を解離させることが可能となる。しかも、解離させるための新たな部材が必要ない。
【００２５】
次に、接点部１０が溶着した状態でのトリップ動作、その後ＯＦＦ操作した場合の動作を説明する。図１０は接点部１０が溶着した状態でラッチが解除した開閉機構部の側面説明図を示している。
接点部１０が溶着した状態でトリップ動作すると、ラッチ片２１によるラッチが解除してコイルばね１９の収縮力によりリンクピン１８に上昇力が作用する。しかしながら、接点部１０の溶着に拘束されて自由に動かない。
一方、上リンク１６はリンクピン１８を中心に引き続き揺動が可能となっているため、リンクピン１８に加わるコイルばね１９の収縮力により、トリップアーム１７には上リンク１６を介して反時計方向の回転トルクが作用し、連結軸１７ｂを支点に僅かに回動するだけで、下リンク１５と上リンク１６とは略直線状に延びた状態から大きく変化することは無い。よって、図１０に示す状態となる。
【００２６】
このトリップ状態から操作ハンドル３がＯＦＦ操作されると、アイソレーション機構が作用してＯＦＦ操作できない。図１１は接点が溶着した状態でＯＦＦ操作した場合の開閉機構部の側面説明図を示し、この図１１を参照して具体的に説明する。
接点部１０が溶着した状態でトリップしても、上述したようにトグルリンク１４の状態は大きく変化しない。そのため、衝合段部２３の位置も大きく変化することはなく、この状態でＯＦＦ操作されると、即ち操作ハンドル３が後方へ（矢印Ｐ２の方向へ）回動操作されると、ハンドル支持金具４が時計方向に回動し、衝合突起４ｅが衝合段部２３に接近して行く。
【００２７】
こうして、図１１に示す角度まで操作ハンドル３を回動すると、衝合突起４ｅが第２段部２３ｂに衝突（当接）する。この結果、上リンク１６は下部が接点部１０の溶着により動きが規制されているし、上部はトリップアーム１７により動きが規制されているため、衝合状態が維持されてハンドル支持金具４はそれ以上回動出来ない。こうしてアイソレーション機構が作用する。
【００２８】
そして、この衝合状態で操作ハンドル３を更に後方へ回動させようとすると、接点部１０を解離させる作用が生ずる。この時の衝合突起４ｅの第２段部２３ｂに対する作用は、上記図９で示した回転力Ｆ１と持ち上げ力Ｆ２と同様の力が発生して作用し、上リンク１６に対しては接点部１０を解離させようとする回転力が発生し、同時にトリップアーム１７に対しても接点部１０を解離させようとする回転力が発生する。
この結果、操作ハンドル３のＯＦＦ操作により、接点部１０に対して大きな解離力が発生し、可動接点１１ａと固定接点１２ａとを解離させることが可能となる。
【００２９】
このように、トリップ動作した際に接点部１０が溶着していたら、操作ハンドル３を開操作しても、開操作の途中でハンドル支持金具４と上リンク１６とが衝合するため、操作ハンドル３を最後まで開操作できない。即ち、開操作が阻止される。
そして、この時の衝合は上リンク１６に対してはトリップアーム１７との軸着部１７ａと下リンク１５との枢支連結したリンクピン１８との間で成されるため、衝合による押圧力を上リンク１７の遮断動作方向への回転力として作用させることができ、衝合後も操作ハンドル３の開操作を継続すれば、可動接触子１１に対して解離力を作用させることができる。よって、操作ハンドル３へ加えられる力に比例する可動接触子１１の解離力を生成でき、溶着した接点部１０を解離させることが可能となる。しかも、解離させるための新たな部材が必要ない。
【００３０】
尚、上記実施形態では、衝合段部２３を第１段部２３ａと第２段部２３ｂの２段で形成しているが、両段部を共通する１つの傾斜辺としても良く、上リンク１６に回転力を発生させることができる。
【符号の説明】
【００３１】
１・・電源側端子、２・・負荷側端子、３・・操作ハンドル、４・・ハンドル支持金具、４ｄ・・回動軸（回動支点）、４ｅ・・衝合突起、５・・基台、１０・・接点部、１１・・可動接触子、１１ａ・・可動接点、１２ａ・・固定接点、１４・・トグルリンク、１５・・下リンク、１６・・上リンク、１７・・トリップアーム、１８・・リンクピン（枢支連結部）、１９・・コイルばね（開閉スプリング）、２１・・ラッチ片、２３・・衝合段部、２３ａ・・第１段部（溶着衝合部）、２３ｂ・・第２段部（溶着トリップ衝合部）。
【図１】
2016033892.tif 000003
【図２】
2016033892.tif 000004
【図３】
2016033892.tif 000005
【図４】
2016033892.tif 000006
【図５】
2016033892.tif 000007
【図６】
2016033892.tif 000008
【図７】
2016033892.tif 000009
【図８】
2016033892.tif 000010
【図９】
2016033892.tif 000011
【図１０】
2016033892.tif 000012
【図１１】
2016033892.tif 000013